(57)【特許請求の範囲】
【請求項１】
折板屋根の隣り合う山部から突出する既設ボルトに両端部が固定され、当該隣り合う山部間に架設されるベース部材と、
前記隣り合う山部間において前記ベース部材を上下方向に貫通して軸部を上方へ突出させる締め付けボルトと、
前記締め付けボルトを貫通させるように前記ベース部材の下部に配置され、締め付けボルトの締め付け作業時の供回りを防止する回り止め部材と、
前記締め付けボルトの頭部を前記ベース部材の下面に当接させるように当該締め付けボルトを上方へ弾性的に付勢する付勢部材と、を具備し、
前記ベース部材は、前記既設ボルトを貫通させるボルト孔を有する一対の固定部と、この固定部から立ち上がる一対の脚部と、前記締め付けボルトを挿通させるための長孔を有し前記一対の脚部間を接続する支持板部とを具備し、
前記締め付けボルトにより、前記ベース部材の支持板部の上部に、太陽電池モジュールの支持架台を固定可能としたことを特徴とする太陽電池モジュールの設置用支持具。
【請求項２】
前記付勢部材は、両端が前記ベース部材の脚部に係止され、中間部において前記締め付けボルトの頭部の下面に弾性的に当接するばね線材であることを特徴とする請求項1に記載の太陽電池モジュールの設置用支持具。
【請求項３】
前記ベース部材の支持板部は、長手方向に沿う両縁に下方へ延出する一対の回り止め片を具備し、
前記回り止め部材は、前記ベース部材の回り止め片の内側に当接する対向側面を具備することを特徴とする請求項1又は２に記載の太陽電池モジュールの設置用支持具。
【請求項４】
前記回り止め部材は、前記締め付けボルトの軸部を貫通させるボルト孔を有する天板部と、この天板部の対向縁部から屈折して下方へ延出する一対の係合片とを具備し、
前記係合片は、前記締め付けボルトの頭部側面に沿う規制面と、前記ベース部材の回り止め片の内側に当接する対向側面と、一端が係合片の周縁に開口するばね挿通用のスリットとを具備し、
前記ばね線材は、中間部において前記回り止め部材のスリットを延線方向相対移動自在に貫通し、前記一対の係合片間において前記締め付けボルトの頭部の下面に当接することにより、当該締め付けボルトを回り止め部材と一体に上方へ付勢することを特徴とする請求項２又は３に記載の太陽電池モジュールの設置用支持具。
【発明の詳細な説明】
【技術分野】
【０００１】
本発明は、折板屋根上に、太陽電池モジュールの支持架台を固定するための支持具に関する。
【背景技術】
【０００２】
従来、折板屋根上に、太陽電池モジュールの支持架台を固定するための支持具として、特許文献１に記載のソーラーパネル取着用架台の固定金具が知られている。これは、折板屋根板材の山部から突出したボルトが貫通する貫通孔付き載置部と、この載置部の左端部と右端部から上方に折曲する左立上部及び右立上部と、左右両立上部の端部から夫々外側方に延出する孔付き左側支承部及び孔付き右側支承部とを具備するもので、左右両側支承部上に、支持架台をボルトで固定するものである。
【先行技術文献】
【特許文献】
【０００３】
【特許文献１】特開２０１１−１０６０９４
【発明の概要】
【発明が解決しようとする課題】
【０００４】
上記従来のソーラーパネル取着用架台の固定金具は、支持架台を固定するためのボルトの位置が固定されるため、支持架台の固定位置を自由に変更することができない。例えば、支持架台を固定するためのボルトの位置は、折板屋根上に突出する既存のボルトの位置により規定されるため、このボルトが整列していない場合、支持架台に対するボルトの固定位置が不規則になり、施工に手間取る等の課題がある。
したがって、本発明は、支持架台を固定するためのボルトの位置を自由に調整でき、支持架台の固定作業も迅速に行うことができる太陽電池モジュール用支持架台の支持具を提供することを目的としている。
【課題を解決するための手段】
【０００５】
以下、添付図面の符号を参照して説明するが、本発明はこれに限定されるものではない。
上記課題を解決するための、本発明の支持具１は、ベース部材２と、締め付けボルト３と、回り止め部材４と、付勢部材５とを具備する。ベース部材２は、折板屋根の隣り合う山部６１の頂部から突出する既設ボルト６２に両端部が固定され、隣り合う山部６１間に架設される。締め付けボルト３は、ベース部材２の長孔２３ａを貫通して軸部３１が上方へ突出する。回り止め部材４は、ベース部材２の下部に配置され、締め付けボルト３の締め付け作業時の共回りを防止する。付勢部材５は、締め付けボルト３の頭部３２をベース部材２の下面に当接させるように、締め付けボルト３を上方へ弾性的に付勢する。締め付けボルト３とナット７とにより、ベース部材２の上部に、太陽電池モジュールの支持架台８を固定する。
【発明の効果】
【０００６】
本発明の支持具１は、太陽電池モジュール用の支持架台８を固定するための締め付けボルト３をベース部材２の長孔２３ａに沿って位置調整できるので、例えば、支持架台８に予め形成されているボルト孔８ａに容易に位置合わせすることができる。締め付けボルト３が予め装着されているので、支持架台８を載せた後の見えづらい状態でのボルト装着作業を省略して、作業を迅速に進めることができる。締め付けボルト３が、付勢部材５によって、軸部３１をベース部材２の上方へ突出させた状態で弾性的に保持されるので、支持架台８をベース部材２上に配置する作業時に、締め付けボルト３が支持架台８に当たって押し下げられても、軸部３１が支持架台８のボルト孔８ａに合致すれば、自動的に復帰してボルト孔８ａに挿入される。回り止め部材４によって、締め付けボルト３が回り止めされるので、ナット７を締め付けるときに共回りせず、作業を迅速に行うことができる。
【図面の簡単な説明】
【０００７】
【図１】本発明に係る支持具の分解斜視図である。
【図２】図１の支持具の正面図である。
【図３】図１の支持具の平面図である。
【図４】図１の支持具の底面図である。
【図５】図１の支持具の断面図であり、（Ａ）は支持架台の固定作業の過程を示し、（Ｂ）は支持架台の固定状態を示す。
【図６】図１の支持具の取付状態の斜視図である。
【発明を実施するための形態】
【０００８】
図面を参照して本発明の実施の形態を説明する。
支持具１は、太陽電池モジュール用の支持架台８を折板屋根６上に固定するためのもので、ベース部材２と、締め付けボルト３と、回り止め部材４と、付勢部材５とを具備する。
【０００９】
ベース部材２は、折板屋根６の隣り合う山部６１の頂部から突出する既設ボルト６２に両端部が固定され、隣り合う山部６１間に架設される。
【００１０】
すなわち、ベース部材２は、鋼板材を成形してなり、固定部２１と、脚部２２と、支持板部２３とを具備する。両端の固定部２１は、既設ボルト６２を貫通させるボルト孔２１ａを有する。脚部２２は、両固定部２１から屈折して、内向き傾斜に立ち上がる。支持板部２３は、一対の脚部２２間を接続する。
【００１１】
支持板部２３は、折り板屋根６の桁行き方向に延びる長孔２３ａを有し、これに締め付けボルト３を挿通させる。締め付けボルト３と、これに螺合されるナット７とにより、ベース部材２の支持板部２３の上部に、太陽電池モジュールの支持架台８を固定可能である。
【００１２】
ベース部材２の支持板部２３は、長手方向に沿う両縁から屈曲して下方へ延出する一対の回り止め片２４を具備する。
【００１３】
締め付けボルト３は、折り板屋根６の隣り合う山部６間において、回り止め部材２４を介してベース部材２の長孔２３ａを上下方向に貫通し、軸部３１が上方へ突出する。
【００１４】
回り止め部材４は、締め付けボルト３を貫通させるように、ベース部材２の下部に配置され、締め付けボルト３の締め付け作業時の供回りを防止する。
【００１５】
すなわち、回り止め部材４は、締め付けボルト３の軸部３１を貫通させるボルト孔４１ａを有する天板部４１と、この天板部４１の対向縁部から屈折して下方へ延出する一対の係合片４２とを具備する。
【００１６】
係合片４２は、締め付けボルト３の頭部３２の側面３２ａに沿う規制面４２ａと、ベース部材２の回り止め片２４の内側に当接する対向側面４２ｂと、一端が係合片４２の下縁に開口するばね挿通用のスリット４２ｃとを具備する。側面４２ｂの上部は、上すぼまりの傾斜を有する。スリット４２ｃは、Ｎ字状に屈折しており、回り止め部材４が上下に動いたとき、付勢部材５であるばね線材５が抜け出ないようになっている。
【００１７】
付勢部材５は、締め付けボルト３の頭部３２をベース部材２の下面に当接させるように、締め付けボルト３を上方へ弾性的に付勢する。図示の実施形態において、付勢部材５は、両端のコイル部５１と、コイル部５１間の直線部５２とを具備するばね線材であり、両端においてベース部材２の脚部２２に係止される。ばね線材５は、中間の直線部５２において、回り止め部材４のスリット４２ｃを延線方向相対移動自在に貫通し、係合片４２間において、締め付けボルト３の頭部３２の下面に当接する。ばね線材５は、締め付けボルト３を回り止め部材４と一体に上方へ付勢する。
【００１８】
例えば、図５（Ａ）に示すように、太陽電池モジュールの支持架台８を支持具１上に固定する際、当初締め付けボルト３とボルト孔８ａとが合致しないと、締め付けボルト３が支持架台８の下面に当たって下方へ押圧されることがある。このとき、付勢部材５が撓んで、締め付けボルト３が回り止め部材４と共に押し下げられる。この状態で、支持架台８のボルト孔８ａにあわせるように、締め付けボルト３をベース部材２の長孔２３ａに沿って位置調整することができる。締め付けボルト３が、ボルト孔８ａに合致すれば、付勢力により、自動的に上方へ突出してボルト孔８ａに挿入される。図５（Ｂ）に示すように、締め付けボルト３にナット７を螺合させる際には、回り止め部材２によって、締め付けボルト３が回り止めされるので、共回りすることがなく、締め付け作業を迅速に行うことができる。押し下げられた締め付けボルト３が復帰する際には、回り止め部材２の側面４２ｂの上部の傾斜部が、ベース部材２の回り止め片２４の内側面にガイドされ、適正位置に保たれる。
【符号の説明】
【００１９】
１    支持具
２    ベース部材
２１  固定部
２１ａ  ボルト孔
２２  脚部
２３  支持板部
２３ａ  長孔
２４  回り止め片
３    締め付けボルト
３１  軸部
３２  頭部
３２ａ  側面
４    回り止め部材
４１  天板部
４１ａ  ボルト孔
４２  係合片
４２ａ  規制面
４２ｂ  側面
４２ｃ  スリット
５    付勢部材
５１  コイル部
５２  直線部
６    折板屋根
６１  山部
６２  既設ボルト
７    ナット
８    支持架台
８ａ  ボルト孔
【図１】
0005492272.tif 000002
【図２】
0005492272.tif 000003
【図３】
0005492272.tif 000004
【図４】
0005492272.tif 000005
【図５】
0005492272.tif 000006
【図６】
0005492272.tif 000007